(57)【要約】【課題】緩衝パッドの合理的な改造により、緩衝パッドが顔面の顎部及び額部において前端から左右の後方側に回り込む状態で配置されるマスク形態でも良好な通気性を確保する。【解決手段】マスクフレーム１の裏面に取付けられた緩衝パッドＰ１には、パッド長手方向で複数に分割された分割パッド部３と、マスクフレーム１への取付け時に少なくとも分割パッド部３の隣接間の取付け基部側に通気空間Ｓを現出する状態で隣接分割パッド部同士を間隔を空けて屈曲可能に連結する可撓連結体４とが備えられている。【選択図】図３
2010012039.tif 000002
【特許請求の範囲】
【請求項１】
マスクフレームの裏面に緩衝パッドが取付けられている顔面保護マスクであって、
前記緩衝パッドには、パッド長手方向で複数に分割された分割パッド部と、マスクフレームへの取付け時に少なくとも分割パッド部の隣接間の取付け基部側に通気空間を現出する状態で隣接分割パッド部同士を間隔を空けて屈曲可能に連結する可撓連結体とが備えられている顔面保護マスク。
【請求項２】
前記マスクフレームの裏面に取付けられる顎部用緩衝パッドと額部用緩衝パッドとのうちの少なくとも一方が、前記分割パッド部を備えた緩衝パッドから構成されている請求項１記載の顔面保護マスク。
【請求項３】
前記緩衝パッドを構成する各分割パッド部には、前記マスクフレームに対してパッド長手方向での相対移動を許容する状態で取付け可能な装着具が設けられている請求項１又は２記載の顔面保護マスク。
【請求項４】
前記可撓連結体には、少なくとも前記分割パッド部の隣接間における通気空間形成領域の前方に対応する部位に通気性生地が配設されている請求項１〜３のいずれか１項に記載の顔面保護マスク。
【請求項５】
前記可撓連結体の通気空間長手方向での幅が、前記分割パッド部の通気空間長手方向での幅よりも小に構成されている請求項１〜４のいずれか１項に記載の顔面保護マスク。
【請求項６】
前記緩衝パッドを構成する複数の分割パッド部の横断面視での隣接間隔が、前記マスクフレームへの取付け面を一直線状に揃えた状態で顔面への当て付け面側ほど広幅に構成されている請求項１〜５のいずれか１項に記載の顔面保護マスク。
【発明の詳細な説明】
【技術分野】
【０００１】
本発明は、野球やソフトボール、アイスホッケーなどの競技スポーツ、或いは、格闘技等の各種分野において用いられる顔面保護マスクで、詳しくは、マスクフレームの裏面に緩衝パッドが取付けられている顔面保護マスクに関する。
【背景技術】
【０００２】
従来の顔面保護マスクでは、前記緩衝パッドを、パッド長手方向で連続する単一の緩衝材と、当該緩衝材の全周を被覆する合成皮革等のパッド外皮とから構成し、前記緩衝材のパッド長手方向複数箇所に、顔面側に開口する凹状の溝を形成するとともに、前記パッド外皮の顔面側となる裏面側外皮部における前記緩衝材の凹状溝に対応する部分を、凹状溝の底面におけるパッド長手方向の中央位置にまでＶ字状に入り込ませ、この裏面側外皮部のＶ字状入り込み部分の先端と、緩衝材における凹状溝の底面側部位、及びマスクフレームの裏面に取付けられるパッド表皮の表面側外皮部とを縫着していた（特許文献１，２参照）。
【０００３】
【特許文献１】実公平２−１９１７０号公報
【特許文献２】特開昭５９−５７６７８号公報
【発明の開示】
【発明が解決しようとする課題】
【０００４】
従来の顔面保護マスクでは、前記パッド外皮の裏面側外皮部におけるパッド長手方向複数箇所にＶ字状の窪みが形成されているため、緩衝パッドが顔面の周囲に沿って縦長の長環形状又はそれに近い形状で配置されるマスク形態では、顔面の前端から左右の後方側に回り込む湾曲量が少ない分だけ、裏面側外皮部のＶ字状窪みでの開口幅の縮小が少なくなり、このＶ字状窪みを通気路とする通気性を確保することができる。
【０００５】
しかし、前記緩衝パッドが顔面の顎部及び額部において前端から左右の後方側に回り込む状態で配置されるマスク形態では、湾曲配置によるパッド外皮のＶ字状窪みでの開口幅の縮小が大きくなるため、パッド外皮のＶ字状窪みに臨む対向面同士が密着して通気性が確保できなくなる可能性がある。
【０００６】
また、従来の顔面保護マスクにおいては、前記パッド外皮の裏面側外皮部における顔面への当て付け面が、複数のＶ字状の窪みによって断続形成されているため、パッド外皮の各当て付け面が顔面の形状や動きに追従し易く、さらに、ボール等との衝突時における各当て付け面の個々の独立した圧縮作動により、前記パッド外皮の顔面への当て付け面全体が連続した平滑面に形成されている場合に比して、装着時のフィット性及び緩衝性を向上することができるものの、前記パッド外皮の各当て付け面の動きが、パッド表皮の表面側外皮部において連続する緩衝材の基部によって制約されるため、フィット性及び緩衝性の向上にも自ずと限界があった。
【０００７】
本発明は、上述の実状に鑑みて為されたものであって、その主たる課題は、前記緩衝パッドの合理的な改造により、緩衝パッドが顔面の顎部及び額部において前端から左右の後方側に回り込む状態で配置されるマスク形態でも良好な通気性を確保することができるとともに、装着時のフィット性及び緩衝性も改善することのできる顔面保護マスクを提供する点にある。
【課題を解決するための手段】
【０００８】
本発明による第１の特徴構成は、マスクフレームの裏面に緩衝パッドが取付けられている顔面保護マスクであって、
前記緩衝パッドには、パッド長手方向で複数に分割された分割パッド部と、マスクフレームへの取付け時に少なくとも分割パッド部の隣接間の取付け基部側に通気空間を現出する状態で隣接分割パッド部同士を間隔を空けて屈曲可能に連結する可撓連結体とが備えられている点にある。
【０００９】
上記構成によれば、前記緩衝パッドが独立した複数の分割パッド部から構成され、且つ、前記可撓連結体によって隣接分割パッド部同士が間隔を空けて屈曲可能に連結されているから、例え、緩衝パッドが顔面の顎部及び額部において前端から左右の後方側に回り込む状態で配置されるマスク形態であっても、マスクフレームへの取付け時には、少なくとも分割パッド部の隣接間の取付け基部側に通気空間を現出することができる。
【００１０】
さらに、前記緩衝パッドを構成する複数の分割パッド部が独立して圧縮作動することができるため、各分割パッド部の当て付け面が顔面の形状や動きに追従し易くなり、しかも、隣接分割パッド部同士が屈曲可能な可撓連結体で連結されているため、マスクフレームに衝撃力が作用したとき、前記通気空間に対応する可撓連結体の可撓範囲内で隣接する分割パッド部同士が相対近接移動することが可能となる。
【００１１】
従って、緩衝パッドが顔面の顎部及び額部において前端から左右の後方側に回り込む状態で配置されるマスク形態でも、マスクフレームへの取付け時には、少なくとも分割パッド部の隣接間の取付け基部側に通気空間を現出して良好な通気性を確保することができるとともに、複数の分割パッド部での独立した圧縮作動と通気空間に対応する可撓連結体の可撓範囲内での隣接分割パッド部の相対近接移動により、装着時のフィット性を向上することができるばかりでなく、マスクフレームに作用する衝撃力を効率良く緩和することができる。
【００１２】
本発明による第２の特徴構成は、前記マスクフレームの裏面に取付けられる顎部用緩衝パッドと額部用緩衝パッドとのうちの少なくとも一方が、前記分割パッド部を備えた緩衝パッドから構成されている点にある。
【００１３】
上記構成によれば、マスクフレームへの取付け時には、少なくとも分割パッド部の隣接間の取付け基部側に通気空間を現出して良好な通気性を確保することができるから、マスクフレームの裏面に取付けられる顎部用緩衝パッド又は額部用緩衝パッド若しくは両緩衝パッドとして最適に使用できる。
【００１４】
本発明による第３の特徴構成は、前記緩衝パッドを構成する各分割パッド部には、前記マスクフレームに対してパッド長手方向での相対移動を許容する状態で取付け可能な装着具が設けられている点にある。
【００１５】
上記構成によれば、前記マスクフレームに衝撃力が作用したとき、前記各分割パッド部に設けた装着具とマスクフレームとの間におけるパッド長手方向での相対移動と、複数の分割パッド部での独立した圧縮作動、及び、前記通気空間に対応する可撓連結体の可撓範囲内での隣接分割パッド部の相対近接移動とにより、マスクフレームに作用する衝撃力をより効率良く緩和することができる。
【００１６】
本発明による第４の特徴構成は、前記可撓連結体には、少なくとも前記分割パッド部の隣接間における通気空間形成領域の前方に対応する部位に通気性生地が配設されている点にある。
【００１７】
上記構成によれば、前記可撓連結体の一部又は全部を構成する通気性生地を通して、少なくとも分割パッド部の隣接間の取付け基部側に現出される通気空間とマスクの外面側とにわたる通気流が発生するため、通気性の向上を図ることができる。
【００１８】
本発明による第５の特徴構成は、前記可撓連結体の通気空間長手方向での幅が、前記分割パッド部の通気空間長手方向での幅よりも小に構成されている点にある。
【００１９】
上記構成によれば、前記可撓連結体の通気空間長手方向での幅が小さくなる分だけ、前記分割パッド部の隣接間での前方側への開口面積が大きくなり、通気性能の向上を図ることができる。しかも、前記可撓連結体の通気空間長手方向での幅が分割パッド部と同じ幅に構成されている場合に比して、前記通気空間に対応する可撓連結体の可撓性が高くなり、隣接分割パッド部のスムーズな相対近接移動によって緩衝性能の向上を図ることができる。
【００２０】
本発明による第６の特徴構成は、前記緩衝パッドを構成する複数の分割パッド部の横断面視での隣接間隔が、前記マスクフレームへの取付け面を一直線状に揃えた状態で顔面への当て付け面側ほど広幅に構成されている点にある。
【００２１】
上記構成によれば、マスクフレームへの取付け時に、分割パッド部の隣接間の取付け基部側のみならず、先端側においても通気空間を現出することが可能となり、通気性能の向上を図ることができる。
【発明を実施するための最良の形態】
【００２２】
〔第１実施形態〕
図１〜図５は顔面保護マスクの一例である野球用のキャッチャーマスクを示し、所定のマスク形状に形成された鋼材製のマスクフレーム１の裏面側の下側部には、顔面の顎部に沿って前面中央位置から左右の後方側に回り込む顎部用緩衝パッドＰ１が取付けられ、前記マスクフレーム１の裏面側の上側部には、顔面の額部に沿って前面中央位置から左右の後方側に回り込む額部用緩衝パッドＰ２が取付けられているとともに、前記マスクフレーム１の頂部と左右の耳保護部位とにわたって装着ベルト２が取付けられている。
【００２３】
前記顎部用緩衝パッドＰ１は、パッド長手方向で複数に分割（当該実施形態では３つに分割）された分割パッド部３と、マスクフレーム１への取付け時に少なくとも分割パッド部３の隣接間の取付け基部側に通気空間Ｓを現出する状態で隣接分割パッド部３同士を間隔Ｗを空けて屈曲可能に連結する可撓連結体４とから構成されているとともに、前記額部用緩衝パッドＰ２は、顔面に対する当て付け面１０ａがパッド長手方向で複数に断続形成された単一のパッドから構成されている。
【００２４】
前記顎部用緩衝パッドＰ１の各分割パッド部３は、図２に示すように、顔面に対する当て付け面５ａを備えた合成皮革や天然皮革等で製作される裏面側の外皮５と、マスクフレーム１への取付け面６ａを備えた合成皮革や天然皮革等で製作される表面側の外皮６と、前記裏面側外皮５の内面に沿って層状に配設されるクッション性に優れた合成樹脂製の第１発泡体７Ａと、前記表面側外皮６の内面に沿って層状に配設されるクッション性に優れた合成樹脂製の第２発泡体７Ｂと、第１・第２発泡体７Ａ，７Ｂ間に囲繞されるブロック状の合成樹脂製の第３発泡体７Ｃとからなる。
【００２５】
前記第１発泡体７Ａと第２発泡体７Ｂ及び第３発泡体７Ｃとをもって、前記マスクフレーム１に作用する衝撃力を吸収する緩衝材７が構成されているとともに、前記裏面側外皮５と表面側外皮６及び第１・第２発泡体７Ａ，７Ｂとが重合する４層構造の周縁部が繊維製の縁巻きテープ８を巻き付けた状態で縫着されている。
【００２６】
前記緩衝材７の第１発泡体７Ａと第２発泡体７Ｂ及び第３発泡体７Ｃとしては、ポリウレタン発泡体、ポリエチレン発泡体、ポリプロピレン発泡体等が存在する。
【００２７】
前記可撓連結体４は、図２、図３に示すように、各分割パッド部３の縁巻きテープ８を含む５層構造の周縁部３ａのうち、分割パッド部３の隣接間に位置する側辺縁部分にわたって縫着される通気性生地の一例であるメッシュ生地から構成され、このメッシュ生地４が縫着された状態では、隣接する分割パッド部３の対向面間の隣接間隔Ｗが、マスクフレーム１への取付け時に分割パッド部３の隣接間の少なくとも取付け基部側に通気空間Ｓを現出可能な間隔に構成されている。
【００２８】
そして、上述の如く、前記顎部用緩衝パッドＰ１が独立した複数の分割パッド部３から構成され、且つ、前記メッシュ生地４の可撓性によって隣接分割パッド部３同士が間隔Ｗを空けて屈曲可能に連結されているので、マスクフレーム１の裏面側の下側部に対して顎部用緩衝パッドＰ１が顔面の顎部において前端から左右の後方側に湾曲しながら回り込む状態で取付けられていても、分割パッド部３の隣接間の少なくとも取付け基部側に通気空間Ｓを確実に現出することができる。
【００２９】
さらに、前記顎部用緩衝パッドＰ１を構成する複数の分割パッド部３が独立して圧縮作動することができるため、各分割パッド部３の裏面側外皮５の当て付け面５ａが顔面の形状や動きに追従し易くなり、しかも、隣接分割パッド部３同士が柔軟性と通気性に優れたメッシュ生地４で連結されているため、マスクフレーム１に衝撃力が作用したとき、前記間隔Ｗ及び通気空間Ｓに対応するメッシュ生地４の可撓範囲内で隣接する分割パッド部３同士が相対近接移動することが可能となり、マスクフレーム１に作用する衝撃力を効率良く緩和することができる。
【００３０】
また、前記メッシュ生地４の通気空間Ｓ長手方向での幅Ｄ1が、前記分割パッド部の通気空間長手方向での幅Ｄ２よりも小に構成されているとともに、前記顎部用緩衝パッドＰ１を構成する複数の分割パッド部３の横断面視での隣接間隔Ｗが、前記マスクフレーム１への取付け面６ａを一直線状に揃えた状態で表裏（前後）方向で略一定又はそれに近い間隔に構成されている。
【００３１】
そして、前記メッシュ生地４の通気空間Ｓ長手方向での幅Ｄ１が、前記分割パッド部３の通気空間Ｓ長手方向での幅Ｄ２よりも小さくなる分だけ、前記分割パッド部３の隣接間での前方側への開口面積が大きくなり、通気性能の向上を図ることができる。しかも、前記メッシュ生地４の通気空間Ｓ長手方向での幅Ｄ１が分割パッド部３と同じ幅に構成されている場合に比して、前記通気空間Ｓに対応するメッシュ生地４の可撓性が高くなり、隣接分割パッド部３同士のスムーズな相対近接移動によって緩衝性能の向上を図ることができる。
【００３２】
前記額部用緩衝パッドＰ２は、図６に示すように、顔面に対する当て付け面１０ａを備えた合成皮革や天然皮革等で製作される裏面側の外皮１０と、マスクフレーム１への取付け面１１aを備えた合成皮革や天然皮革等で製作される表面側の外皮１１と、前記裏面側外皮１０の内面に沿って層状に配設されるクッション性に優れた合成樹脂製の第１発泡体１２Ａと、前記表面側外皮１１の内面に沿って層状に配設されるクッション性に優れた合成樹脂製の第２発泡体１２Ｂと、第１・第２発泡体１２Ａ，１２Ｂ間に囲繞されるパッド長手方向で複数に分割（当該実施形態では３つに分割）されたブロック状の合成樹脂製の第３発泡体１２Ｃとからなり、前記第１発泡体１２Ａと第２発泡体１２Ｂ及び第３発泡体１２Ｃとをもってマスクフレーム１に作用する衝撃力を吸収する緩衝材１２が構成されている。
【００３３】
前記緩衝材１２の第１発泡体１２Ａと第２発泡体１２Ｂ及び第３発泡体１２Ｃとしては、ポリウレタン発泡体、ポリエチレン発泡体、ポリプロピレン発泡体等が存在する。
【００３４】
さらに、前記裏面側外皮１０及び第１発泡体１２Ａのうち、前記第３発泡体１２Ｃの隣接間に対応する部位が、第３発泡体１２Ｃの隣接間に存在する空間を通して第２発泡体１２Ｂにまで略Ｖ字状に入り込み形成され、この裏面側外皮１０及び第１発泡体１２ＡにおけるＶ字状の入り込み部分の先端部が、第２発泡体１２Ｂ及び表面側外皮１１に縫着されているので、前記裏面側外皮１０の当て付け面１０ａが、パッド長手方向で複数（当該実施形態では３つ）に断続形成されると同時に、前記裏面側外皮１０の外面側における第３発泡体１２Ｃの隣接間に対応する部位にはＶ字状の通気溝１４が形成され、さらに、前記裏面側外皮１０と表面側外皮１１及び第１・第２発泡体１２Ａ，１２Ｂとが重合する４層構造の周縁部が繊維製の縁巻きテープ１３を巻き付けた状態で縫着されている。
【００３５】
また、図３、図５に示すように、前記顎部用緩衝パッドＰ１を構成する複数の分割パッド部３には、前記マスクフレーム１に対してパッド長手方向での相対移動を許容する状態で取付け可能な装着具１６が設けられている。
【００３６】
この装着具１６は、分割パッド部３の表面側外皮６と縁巻きテープ８との間に縫着された帯状繊維製の一対のバンド１６Ａ，１６Ｂの重ね合わせ面に、フック状係合素子とループ状係合素子の組み合わせからなる一対の面ファスナー１６Ｃ，１６Ｄを設けて構成されている。
【００３７】
前記装着具１６のバンド１６Ａ，１６Ｂは、マスクフレーム１の顎部保護フレーム部を構成する縦長長円形状の輪郭線材１Ａの下側部とこれに水平方向に掛け渡される下側横架線材1Ｂとの組み合わせ箇所、又は、これらと輪郭線材１Ａの上下中間二箇所に水平方向に掛け渡される中間横架線材1Ｃ，１Ｄとに交差する状態で下方に延出される変形Ｕ字状線材1Ｅを加えた組み合わせ箇所に対して脱着自在に構成されているとともに、装着状態でマスクフレーム１に衝撃力が作用したとき、バンド１６Ａ，１６Ｂとマスクフレーム１との間での融通により、マスクフレーム１と分割パッド部３とのパッド長手方向での相対移動を許容するように構成されている。
【００３８】
前記額部用緩衝パッドＰ２の裏面側外皮１０における各第３発泡体１２Ｃに対応する三箇所にも、上述の顎部用緩衝パッドＰ１の装着具１６と同一構造の装着具１６が設けられていて、マスクフレーム１の額部保護フレーム部を構成する輪郭線材１Ａの上側部とこれに水平方向に掛け渡される上側横架線材１Ｆとの組み合わせ箇所に対して脱着自在に構成されている。
【００３９】
〔第２実施形態〕
図７に示すように、前記マスクフレーム１の裏面側の下側部及び上側部に設けられる顎部用緩衝パッドＰ１及び額部用緩衝パッドＰ２の各々を、パッド長手方向で複数に分割（当該実施形態では３つに分割）された分割パッド部３と、マスクフレーム１への取付け時に少なくとも分割パッド部３の隣接間の取付け基部側に通気空間Ｓを現出する状態で隣接分割パッド部３同士を間隔Ｗを空けて屈曲可能に連結する可撓連結体４とから構成してもよい。
尚、前記分割パッド部３及び可撓連結体４の具体的構成とそれ以外の構成は、上述の第１実施形態で説明した構成と同一であるから、同一の構成箇所には、第１実施形態と同一の番号を付記してそれの説明は省略する。
【００４０】
〔第３実施形態〕
図８、図９は、前記マスクフレーム１の裏面側の下側部に設けられる顎部用緩衝パッドＰ１の別実施形態を示し、これは、パッド長手方向で複数に分割（当該実施形態では３つに分割）された分割パッド部３と、マスクフレーム１への取付け時に少なくとも分割パッド部３の隣接間の取付け基部側に通気空間Ｓを現出する状態で隣接分割パッド部３同士を間隔Ｗを空けて屈曲可能に連結する可撓連結体４とから構成されている。
【００４１】
前記分割パッド部３は、顔面に対する当て付け面５ａを備えた合成皮革や天然皮革等で製作される裏面側の外皮５と、マスクフレーム１への取付け面６ａを備えた合成皮革や天然皮革等で製作される表面側の外皮６と、前記裏面側外皮５の内面に沿って層状に配設されるクッション性に優れた合成樹脂製の第１発泡体７Ａと、前記表面側外皮６の内面に沿って層状に配設されるクッション性に優れた合成樹脂製の第２発泡体７Ｂと、第１・第２発泡体７Ａ，７Ｂ間に囲繞されるブロック状の合成樹脂製の第３発泡体７Ｃとからなり、前記第１発泡体７Ａと第２発泡体７Ｂ及び第３発泡体７Ｃとをもってマスクフレーム１に作用する衝撃力を吸収する緩衝材７が構成されている。
【００４２】
前記可撓連結体４は、隣接する両分割パッド部３の前記第１・第３発泡体７Ａ、７Ｃと第２発泡体７Ｂとの対向面間に入り込ませた状態で、前記裏面側外皮５と表面側外皮６及び第１・第２発泡体７Ａ，７Ｂとが重合する４層構造の周縁部において縫着される通気性生地の一例であるメッシュ生地から構成され、このメッシュ生地４が縫着された状態では、隣接する分割パッド部３の対向面間の間隔Ｗが、マスクフレーム１への取付け時に分割パッド部３の隣接間の取付け基部側に通気空間Ｓを現出可能な間隔に構成されている。
【００４３】
また、前記各分割パッド部３における裏面側外皮５と表面側外皮６及び第１・第２発泡体７Ａ，７Ｂとが重合する４層構造の周縁部のうち、顎部用緩衝パッドＰ１の輪郭を構成する周縁部分にわたって繊維製の縁巻きテープ８を巻き付けた状態で縫着されている。
【００４４】
前記顎部用緩衝パッドＰ１を構成する複数の分割パッド部３の横断面視での隣接間隔Ｗが、前記マスクフレーム１への取付け面６ａを一直線状に揃えた状態で顔面への当て付け面５ａ側ほど広幅に構成されている。
【００４５】
尚、その他の構成は、第１実施形態で説明した構成と同一であるから、同一の構成箇所には、第１実施形態と同一の番号を付記してそれの説明は省略する。
また、当該第３実施形態では、前記マスクフレーム１の裏面側の下側部に設けられる顎部用緩衝パッドＰ１について述べたが、上側部に設けられる額部用緩衝パッドＰ２を上述の顎部用緩衝パッドＰ１と同様に構成してもよい。
【００４６】
〔その他の実施形態〕
（１）上述の各実施形態では、前記マスクフレーム１として、鋼材製の線材を溶接等の適宜手段で結合した形態のものについて説明したが、この構成に限定されるものではなく、合金や硬質合成樹脂などで成形されたマスクフレーム１であってもよい。
【００４７】
（２）上述の各実施形態では、前記緩衝パッドをパッド長手方向で３分割したが、パッド長手方向で２分割又は４分割以上に構成してもよい。
【００４８】
（３）上述の各実施形態では、前記可撓連結体４全体を、メッシュ生地等の通気性生地から構成したが、前記分割パッド部３の隣接間における通気空間Ｓ形成領域の前方に対応する部位にのみ通気性生地を配置してもよい。
前記可撓連結体４としては、マスクフレーム１への取付け時に少なくとも分割パッド部３の隣接間の取付け基部側に通気空間Ｓを現出する状態で隣接分割パッド部３同士を間隔を空けて屈曲可能に連結することのできるものであれば、如何なる構造のものを用いてもよく、例えば、前記可撓連結体４が、複数本の柔軟な紐状体から構成されている場合には、紐状体の隣接間の空間を通して前記通気空間Ｓとマスク前面側の外部空間とを連通させることができる。
【００４９】
（４）上述の各実施形態では、前記分割パッド部３に内装される緩衝材７を、３層の発泡体７Ａ、７Ｂ、７Ｃから構成したが、２層又は単層の発泡体から構成してもよい。
また、前記外皮５，６及び緩衝材１２の材質は適宜変更可能である。
【図面の簡単な説明】
【００５０】
【図１】本発明の第１実施形態を示すキャッチャーマスクの全体の斜視図
【図２】顎部用緩衝パッドの水平拡大断面図
【図３】顎部用緩衝パッドの平面図
【図４】顎部用緩衝パッドの分解背面図
【図５】顎部用緩衝パッドの正面図
【図６】額部用緩衝パッドの水平拡大断面図
【図７】本発明の第２実施形態を示すキャッチャーマスクの全体の斜視図
【図８】本発明の第３実施形態を示す顎部用緩衝パッドの水平分解断面図
【図９】第３実施形態の顎部用緩衝パッドの正面図
【符号の説明】
【００５１】
Ｄ１      通気空間長手方向の幅
Ｄ２      通気空間長手方向の幅
Ｐ１      緩衝パッド（顎部用緩衝パッド）
Ｐ２      緩衝パッド（額部用緩衝パッド）
Ｓ        通気空間
Ｗ        間隔
１        マスクフレーム
３        分割パッド部
４        可撓連結体（通気性生地）
５ａ      当て付け面
１６      装着具
【図１】
2010012039.tif 000003
【図２】
2010012039.tif 000004
【図３】
2010012039.tif 000005
【図４】
2010012039.tif 000006
【図５】
2010012039.tif 000007
【図６】
2010012039.tif 000008
【図７】
2010012039.tif 000009
【図８】
2010012039.tif 000010
【図９】
2010012039.tif 000011